(57)【要約】【課題】              本発明は、床面上で環状に配置された複数のサテライトの環状中心に表示装置の表示部が配置された表示装置に関するものである。【解決手段】          床面上で複数のサテライト４が環状または無端状に配置され、該サテライトに隣接して配置される表示装置１において、該表示装置１の表示体10は、前記環状または無端状に配置されたサテライト４の中心上方にて、上下方向軸を中心として回転駆動される表示装置である。【選択図】          図１
2006068172.tif 000002
【特許請求の範囲】
【請求項１】
床面上で複数のサテライトが環状または無端状に配置され、該サテライトに隣接して配置される表示装置において、
該表示装置の表示体には、発光素子が表示体の母線方向に沿って多数配設され、前記環状または無端状に配置されたサテライトの中心上方にて、上下方向軸を中心として回転駆動されることを特徴とする表示装置。
【請求項２】
前記表示装置の表示体の外側部が画く回転面の外側に隣接して、該回転面と相似の形状のカバーが固定して配置されたことを特徴とする請求項１記載の表示装置。
【請求項３】
前記表示体は、前記カバーと相似の形状の回転面に形成されたことを特徴とする請求項２記載の表示装置。
【請求項４】
前記表示体および前記カバーは、上方より吊下されたことを特徴とする請求項２または請求項３記載の表示装置。
【請求項５】
前記表示装置のカバーは、前記表示体の表示画面を見る所定位置の観察者の目から略等距離に位置するように形成されたことを特徴とする請求項２ないし請求項４いずれか記載の表示装置。
【請求項６】
前記表示装置のカバーの径は、上部で大きくそれより下方の部分では、下方に進むにつれて次第に小さく、前記カバーの径の変化の度合いは、上部で著しく大きく、下方に進むにつれて次第に小さな龍巻状に形成されたことを特徴とする請求項２ないし請求項４いずれか記載の表示装置。
【請求項７】
前記表示体の外側部には、回転軸を含む平面に沿って多数のＬＥＤが間隔を存して配置されたことを特徴とする請求項１ないし請求項６いずれか記載の表示装置。
【請求項８】
前記カバーは濃厚色に色付けされたことを特徴とする請求項７記載の表示装置。
【請求項９】
前記ＬＥＤの点滅を制御するＬＥＤ制御基盤は、前記回転表示部に配設されたことを特徴とする請求項７または請求項８記載の表示装置。
【請求項１０】
環状に配置されたサテライトの中心にゲーム機本体またはゲーム全体の進行状況を表示するゲーム進行状況表示装置が配置されたことを特徴とする請求項１ないし請求項９いずれか記載のゲーム機の表示装置。
【発明の詳細な説明】
【技術分野】
【０００１】
本発明は、床面上で環状に配置された複数のサテライトの環状中心に表示装置の表示部が配置された表示装置に関するものである。
【背景技術】
【０００２】
環状に配列された複数のサテライトに隣接して表示装置が配置されているゲーム機は、特許文献１および特許文献２に開示されている。
【０００３】
この特許文献１および特許文献２記載のゲーム機では、表示部および操作部を有するサテライトが４個ずつ対向して８個配置され、対向するサテライト群のいずれか一方の端部にゲーム全体を表示する表示装置たるスクリーンが鉛直面に沿って立設されていた。
【０００４】
【特許文献１】実開平５−２９５７５号公報
【特許文献２】特開平９−１２２３５２号公報
【発明の開示】
【発明が解決しようとする課題】
【０００５】
前述した特許文献１および特許文献２記載のゲーム機においては、スクリーンがサテライトの一方に偏し側方に向い配置されているため、スクリーンの近くのサテライトに対峙しているプレーヤは、正面より側方に顔を向けなければ、スクリーン上の画像をはっきりと見ることができない。
【０００６】
本発明は、このような不具合を解消した表示装置の改良に係り、サテライトに対峙したプレーヤまたは操作者やその付近の傍観者が、どのサテライトに対峙しまたはその付近に居ても、表示装置の表示画面に対し正対して容易に見ることができる表示装置を提供することを課題としている。
【課題を解決するための手段】
【０００７】
請求項１記載の発明は、床面上で複数のサテライトが環状または無端状に配置され、該サテライトに隣接して配置される表示装置において、該表示装置の表示体には、発光素子が表示体の母線方向に沿って多数配設され、前記環状または無端状に配置されたサテライトの中心上方にて、上下方向軸を中心として回転駆動されることを特徴とする表示装置である。
【０００８】
請求項２記載の発明は、前記表示装置の表示体の外側部が画く回転面の外側に隣接して、該回転面と相似の形状のカバーが固定して配置されたことを特徴とする請求項１記載の表示装置である。
【０００９】
請求項３記載の発明は、前記表示体は、前記カバーと相似の形状の回転面に形成されたことを特徴とする請求項２記載の表示装置である。
【００１０】
請求項４記載の発明は、前記表示体および前記カバーは、上方より吊下されたことを特徴とする請求項２または請求項３記載の表示装置である。
【００１１】
請求項５記載の発明は、前記表示装置のカバーは、前記表示体の表示画面を見る所定位置の観察者の目から略等距離に位置するように形成されたことを特徴とする請求項２ないし請求項４いずれか記載の表示装置である。
【００１２】
請求項６記載の発明は、前記表示装置のカバーの径は、上部で大きくそれより下方の部分では、下方に進むにつれて次第に小さく、前記カバーの径の変化の度合いは、上部で著しく大きく、下方に進むにつれて次第に小さな龍巻状に形成されたことを特徴とする請求項２ないし請求項４いずれか記載の表示装置である。
【００１３】
請求項７記載の発明は、前記表示体の外側部には、回転軸を含む平面に沿って多数のＬＥＤが間隔を存して配置されたことを特徴とする請求項１ないし請求項６いずれか記載の表示装置である。
【００１４】
請求項８記載の発明は、前記表示体はＬＥＤが付設された部分を除いて濃厚色に色付けされたことを特徴とする請求項７記載の表示装置である。
【００１５】
請求項９記載の発明は、前記ＬＥＤの点滅を制御するＬＥＤ制御基盤は、前記回転表示部に配設されたことを特徴とする請求項７または請求項８記載の表示装置である。
【００１６】
請求項１０記載の発明は、環状に配置されたサテライトの中心にゲーム機本体またはゲーム全体の進行状況を表示するゲーム進行状況表示装置が配置されたことを特徴とする請求項１ないし請求項９いずれか記載のゲーム機の表示装置である。
【発明の効果】
【００１７】
請求項１記載の発明では、どのサテライトに対峙しまたはその付近にいる表示体観察者でも、表示装置の表示体に表示された画面を正面で楽に見ることができる。
【００１８】
請求項２記載の発明では、表示体の回転に伴なう風切る音を遮断し、その騒音レベルを低下させることができるとともに、表示体を保護することができる。
【００１９】
請求項３記載の発明では、表示体表示画面を見る観察者の目に達する表示体の表示画面の映像をカバーによって乱されること正確に見ることができる。
【００２０】
請求項４記載の発明では、表示体およびカバーに邪魔されずに、必要な機器を表示体およびカバーの下方に配置することができる。
【００２１】
請求項５記載の発明では、表示体の表示画面を見る観察者が、遠近差による表示画面の歪なしに正確に表示画面を視認することができる。
【００２２】
請求項６記載の発明では、請求項５記載の発明の機能を達成することができる。
【００２３】
請求項７記載の発明では、カバー上に動的画像を鮮明に表示することができる。
【００２４】
請求項８記載の発明では、ＬＥＤで表示された画像と他とのコントラストを鮮やかに表示することができる。
【００２５】
請求項９記載の発明では、回転表示体の外部固定部分からスリップリングを介して回転表示体内のＬＥＤに信号を送る信号線の数を減少させて、コストダウンと信頼性向上とを図ることができる。
【００２６】
請求項１０記載の発明では、各サテライトに対峙するプレーヤがゲーム機本体に表示されたゲームの全体的情報やゲーム全体の進行状況をサテライトの位置に関係なく平等に視認することができる。
【発明を実施するための最良の形態】
【００２７】
以下、図１ないし図１０に図示された本発明の一実施形態について説明する。
【００２８】
本発明の表示装置10は、図１および図２に図示されるビンゴ遊戯機１に付設されるもので、ビンゴ遊戯機１の中央には、鉛直軸を中心に一方向へ回転可能にターンテーブル２が配設され、このターンテーブル２には、番号がそれぞれ付された多数の孔（図示されず）が形成されており、ターンテーブル２の上面の外周縁近くで、ターンテーブル２の回転方向と逆方向へ図示されないボールが放出され、該ボールがターンテーブル２の上面を転がりながらいずれかの孔に入ることにより、番号が選別されるようになっている。
【００２９】
ターンテーブル２の外周を囲んで円環を４分割した扇形状の水平板３が張設され、この各水平板３上には、２個のサテライトユニット４、全体で８個のサテライトユニット４が周方向に亘り略等間隔に配設され、このサテライトユニット４には、それぞれ操作部５が配設され、操作部５よりターンテーブル２寄りに表示部６が付設され、各操作部５の右側にメダル投入受け具７と、メダル投入受け具７から水平板３の外周縁寄りにメダル払い出し箱８とがそれぞれ設けられ、サテライトユニット４の表示部６には、５行・５列に番号が無作為に付されたマスが配列された状態が表示されており、ターンテーブル２で選別された番号がマス上の番号と一致したとき、そのマスが点灯表示され、点灯表示されたマスが縦、横、対角線上に配列された場合には、ビンゴとなって所定枚数のメダルのいずれかがメダル払い出し箱に払い出されるようになっている。
【００３０】
ターンテーブル２、水平板３およびサテライトユニット４を跨ぐように支持体９が架設され、この支持体９の上部中央から下方へ表示部10が垂設されている。
【００３１】
図３ないし図８に図示の表示装置10を上方から吊り下げて支持する支持体９は、図９および図１０に図示するように、水平部分の一方の端部を下方に弯曲した２対のメインパイプ51を所定間隔毎に多数の連結パイプ52で相互に一体に結合してなる左右１対の支持枠体50と、該左方の支持枠体50の水平端部に固着された水平継手53と、前記右方の支持枠体50の水平端部に固着された図７に図示の水平継手54と、図７に図示するように、両水平継手53、54を相互に結合・分離可能に結合するボルトナット55と、前記水平継手53、54にそれぞれ一体に架設された支持部材56、57と、メインパイプ51に設けられた化粧板取り付け部片58と、この化粧板取り付け部片58に着脱自在に装着される図１に図示の化粧板59とよりなっている。
【００３２】
表示装置10の基枠11は、図３、図４、図６、図７および図８に図示されるように、金属製角パイプを立体的に組立て、端部を溶接でもって一体に結合することにより構成され、基枠11の左右方向に指向する上部水平杆12の水平突出部12ａの外側面に、図６、図７に図示のように、アングル片13が一体に装着され、アングル片13の水平部片13ａの下面に当て金14が装着され、支持部材56、57に連結片15が装着され、アングル片13の水平部片13ａおよび当て金14を貫通した調整ボルト16が連結片15に螺着されており、前後左右４個の調整ボルト16の螺回により、基枠11の水平面に対する水平度が調整されるようになっている。
【００３３】
基枠11の水平杆17は、図４および図８に図示されるように、左右方向に指向した上部水平杆12に対し直角方向に指向し、その外側に連結片18（図８参照）を介してアングル状部材19が一体に装着されている。
【００３４】
水平杆17よりさらに下方の左右下部水平杆20に、図４、図６、図７および図８に図示されるように、基板21が架設され、基板21にモータ22と回転支持体23とが据え付けられている。
【００３５】
図６および図７に図示されるように、回転支持体23は、基板21を上方から下方へ貫通し、この基板21に一体に固定された枢支管24と、該枢支管24の上下部にボールベアリング25を介して枢支された回転軸26と、枢支管24の外周に遊嵌されるとともに、下端でナット27により回転軸26に一体に結合された回転筒体28とよりなり、図６に図示されるように、モータ22の回転軸22ａに駆動プーリ29が嵌着されるとともに、回転軸26に従動プーリ30が嵌装され、駆動プーリ29と従動プーリ30とに無端ベルト31が架渡されており、モータ22が稼動状態となって回転軸22ａが回転すると、駆動プーリ29、無端ベルト31および従動プーリ30を介して回転軸26が一方向へ回転駆動されるようになっている。
【００３６】
回転筒体28の上部と下部とに、中央に孔の開いた連結円板32と連結円板33との内周部が一体に固着され、連結円板32の外周部に回転表示殻体34のリング状上部回転表示殻体35の下方内周部35ａが一体に結合され、このリング状上部回転表示殻体35の下方内周部35ａにリング状中部回転表示殻体36の上方外周部36ａが一体に結合され、リング状中部回転表示殻体36の下方内周部36ｂが連結円板33の外周部に一体に固着され、このリング状中部回転表示殻体36の下方内周部36ｂにリング状下部回転表示殻体37の上方外周部37ａが一体に結合され、これらリング状上部回転表示殻体35、リング状中部回転表示殻体36、リング状下部回転表示殻体37とで、龍巻状の回転表示殻体34が構成され、この回転表示殻体34は上部の径が大きく、下方に進むにつれて減少し、この径の減少の度合いは、上部では急激に下方に進むにつれて次第に緩やかな形状になっている。
【００３７】
図５に図示されるように、回転表示殻体34の母線に沿った形状に形成された４本のＬＥＤ支持部材38が、回転表示殻体34の母線方向に指向し周方向へ等間隔に連結円板32、33に装着され、図６に図示されるように４本のＬＥＤ支持部材38に回転表示殻体34の母線方向すなわちＬＥＤ支持部材38の長手方向に亘り、複数のＬＥＤ39が所要間隔毎に配置されている。
【００３８】
図６に図示されるように、連結円板32に取り付け片40が装着され、基枠11の下部水平杆20に、円板の外周部に周方向に亘って多数の切り欠きを形成した、アクチエータ43が一体に装着され、アクチエータ43にホームポジションセンサ41と旋回角度センサ42とが隣接するように、取り付け片40にホームポジションセンサ41と旋回角度センサ42が取り付けられており、回転表示殻体34が１回転したときのホームポジションと回転表示殻体34の回転角度とが、ホームポジションセンサ41と旋回角度センサ42とで検出されるようになっている。
【００３９】
このホームポジションセンサ41と旋回角度センサ42により、回転表示殻体34の回転速度と無関係に所定の回転角度位置にＬＥＤ39による表示をタイミング良く表示させて、表示画像にブレを生じさせることなく、残像を明瞭に表示することができる。
【００４０】
回転筒体28、連結円板32、33、回転表示殻体34およびＬＥＤ支持部材38のいずれかに、多数のＬＥＤ39を個別にかつ順次点滅制御する図示されないＬＥＤ制御基盤が設置され、このＬＥＤ制御基盤に接続される図示されない通信線は、ロータリコネクター44を介してビンゴ遊戯機１の制御装置（図示されず）に接続されている。
【００４１】
図５ないし図８に図示されるように、リング状上部回転表示殻体35、リング状中部回転表示殻体36、リング状中部回転表示殻体37を相互に一体に結合してなる回転表示殻体34に対し所定の大きな寸法で略相似形に拡大した半割り状（図５に図示）のカバー45が形成され、該カバー45の上部８個所に取り付け部45ａが形成され、この取り付け部45ａがアングル状部材19の先端に当てがわれ、アングル状の装着片46を介してアングル状部材19の先端に取り付け部45ａが一体に固着され、カバー45の下端に下端カバー47が一体に装着されている。
【００４２】
ＬＥＤ支持部材38に隣接している回転表示殻体34の一部34ａのみ透明で、他の部分は、色の濃い黒等の色彩に着色されており、カバー45は透明また乳白色の如き半透明に形成されている。
【００４３】
ビンゴ遊戯機１では、ターンテーブル２の下方にビンゴゲームを制御するとともに、ゲームの進行に対応して、表示装置10の多数のＬＥＤ39を逐時点滅制御するＬＥＤ点滅制御基盤（図示されず）が回転表示殻体34に内蔵されており、表示装置10に所要の画像が表示されるようになっている。
【００４４】
図１ないし図１０に図示の実施形態では、ビンゴ遊戯機１が稼動状態になると、モータ22が動作して、回転表示殻体34がＬＥＤ支持部材38とともに一方向へ回転駆動される。
【００４５】
回転表示殻体34は、モータ22によって、毎分２２０回転され、回転表示殻体34には４本のＬＥＤ支持部材38が付設され、このＬＥＤ支持部材38の長手方向に多数のＬＥＤ39が付設され、各ＬＥＤ39は、それぞれ回転表示装置10に設けられている図示されないＬＥＤ点滅制御装置により次々に点滅されるため、ＬＥＤ39で点滅表示される画像をカバー45を通してプレーヤは見ることができる。
【００４６】
また、ＬＥＤ支持部材38およびＬＥＤ39は、リング状上部回転表示殻体35、リング状中部回転表示殻体36、およびリング状下部回転表示殻体37なる回転表示殻体34で被覆されているため、ＬＥＤ支持部材38およびＬＥＤ39が回転表示殻体34とともに回転駆動されても、回転表示殻体34内の空気は、回転表示殻体34とともに回転して、ＬＥＤ支持部材38およびＬＥＤ39は回転表示殻体34内の空気に対し相対的に回転しない結果、ＬＥＤ支持部材38およびＬＥＤ39の回転に伴なう風切り音の発生が抑制されるとともに、モータ22の動力損失が節減される。
【００４７】
回転表示殻体34は毎分２００回転し、かつＬＥＤ支持部材38は周方向に亘って４本配設され、かつＬＥＤ支持部材38に隣接している回転表示殻体34の一部34ａのみが透明で他の部分が、色の濃い黒等の色彩に着色されているため、ＬＥＤ39で表示される表示画像は鮮明である。
【００４８】
なお、回転表示殻体34の回転数を増大し、ＬＥＤ支持部材38の本数を増せば、ＬＥＤ39で表示される表示画像の鮮明度をさらに向上させることができる。
【００４９】
ＬＥＤ39を点滅制御する図示されないＬＥＤ点滅基盤を回転表示殻体34に内蔵し、この回転表示殻体34と外部のビンゴ遊戯機１の図示されない制御装置とをロータリコネクター44を介して相互に接続しているため、外部のビンゴ遊戯機１の制御装置と回転表示殻体34に内蔵されたＬＥＤ点滅制御基盤とを接続する信号線の本数とスリップリングとを節減できる結果、故障防止とコストダウンとを達成することができる。
【００５０】
図１ないし図１０に図示の実施形態では、サテライトユニット４に対峙したプレーヤに対し、表示装置10の回転表示殻体34が略等距離となるように、龍巻状に形成したが、図１１に図示するように、ビンゴ遊戯機１の外周上部に観客席設置部分48を設けた場合には、回転表示体49の外周面が観客席から等距離となるように、鼓状に回転表示体49を形成してもよい。
【００５１】
また、図１ないし図１１に図示の実施形態では、回転表示殻体34は支持体９から下方へ吊下されているが、図１２に図示するように、支持体60の上方に回転表示体61を回転自在に支持するように構成してもよい。
【図面の簡単な説明】
【００５２】
【図１】本発明の表示装置10を具備したビンゴ遊戯機１の全体斜視図である。
【図２】図１の要部拡大斜視図である。
【図３】本発明の表示装置10の斜視図である。
【図４】本発明の表示装置10を斜上方から見た斜視図である。
【図５】本発明の表示装置10を分解した分解斜視図である。
【図６】図８のＶＩ−ＶＩ線に沿って裁断した断面図である。
【図７】図８のＶＩＩ−ＶＩＩ線に沿って裁断した断面図である。
【図８】本発明の表示装置10の平面図である。
【図９】本発明の表示装置10を支持する支持体９の要部側面図である。
【図１０】図９のＸ−Ｘ矢視図である。
【図１１】本発明の他の実施形態の全体斜視図である。
【図１２】本発明のさらに他の実施形態の全体斜視図である。
【符号の説明】
【００５３】
１…ビンゴ遊戯機、２…ターンテーブル、３…水平板、４…サテライトユニット、５…操作部、６…表示部、７…メダル投入受け具、８…メダル払い出し箱、９…支持体、
10…表示装置、11…基枠、12…上部水平杆、13…アングル片、14…当て金、15…連結片、16…調整ボルト、17…水平杆、18…連結片、19…アングル状部材、
20…下部水平杆、21…基板、22…モータ、23…回転支持体、24…枢支管、25…ボールベアリング、26…回転軸、27…ナット、28…回転筒体、29…駆動プーリ、
30…従動プーリ、31…無端ベルト、32…連結円板、33…連結円板、34…回転表示殻体、35…リング状上部回転表示殻体、36…リング状中部回転表示殻体、37…リング状下部回転表示殻体、38…ＬＥＤ支持部材、39…ＬＥＤ、40…取り付け片、41…ホームポジションセンサ、42…旋回角度センサ、43…アクチエータ、44…ロータリコネクター、45…カバー、46…装着片、47…下端カバー、48…観客席設置部分、49…回転表示体、50…支持枠体、51…メインパイプ、52…連結パイプ、53…水平継手、54…水平継手、55…ボルトナット、56…支持部材、57…支持部材、58…化粧板取り付け部片、59…化粧板、60…支持体、61…回転表示体。
【図１】
2006068172.tif 000003
【図２】
2006068172.tif 000004
【図３】
2006068172.tif 000005
【図４】
2006068172.tif 000006
【図５】
2006068172.tif 000007
【図６】
2006068172.tif 000008
【図７】
2006068172.tif 000009
【図８】
2006068172.tif 000010
【図９】
2006068172.tif 000011
【図１０】
2006068172.tif 000012
【図１１】
2006068172.tif 000013
【図１２】
2006068172.tif 000014